(57)【要約】【課題】  換気扇に付着した油滴や水滴を、室内側に落下させず、また壁に伝って壁が汚れないようにする。【解決手段】  換気扇の本体枠１に電動機２と羽根４を備え、室内側から本体枠１を覆う換気扇カバー３を備える、換気扇カバー３のほぼ中央、羽根４の周りに風洞３１を設ける、換気扇カバーの正面部３３には吸込み口３１ａを形成し風洞３１につなげる、換気扇カバーの３正面部３３吸込み口３１ａ下方に凹状の油受け３２を形成し、油受け３２の上縁と換気扇カバー３の正面部３３は面取り部３２ａを形成する。【選択図】  図５
2014202420.tif 000002
【特許請求の範囲】
【請求項１】
室内側と室外側を開口し風路を形成する箱状の本体枠と、
電動機と羽根を有し、前記本体枠に設けた送風機と、
前記本体枠の室内側を覆う換気扇カバーと
前記換気扇カバーは正面に空気の吸込み口を備え前記本体枠に着脱可能に形成し、
前記吸込み口の下方に備えた油受け部と
前記油受け部は断面凹状で形成し、前記凹状の上縁に面取り部を形成したことを特徴とする換気扇。
【請求項２】
前記油受け部は、指が入る高さに形成したことを特徴とする請求項１記載の換気扇。
【請求項３】
前記油受け部は、凹状下側部の高さを室内側から室外側に向けて低くなるよう傾斜部を形成したことを特徴とする請求項１記載の換気扇。
【請求項４】
前記油受け部の幅の両端は、前記吸込み口の外径より内側に位置することを特徴とする請求項１〜３記載の換気扇。
【請求項５】
前記換気扇カバーの室内側正面をほぼ平面で形成したことを特徴とする請求項１〜４記載の換気扇。
【請求項６】
前記羽根は、その先端が前記換気扇カバー正面より室外側に位置することを特徴とする請求項１〜５記載の換気扇。
【発明の詳細な説明】
【技術分野】
【０００１】
本発明は、換気扇カバー下部に油受け部を備える換気扇に関するものである。
【背景技術】
【０００２】
従来、台所の壁部等に設けた換気口に取り付けられる換気扇がある。これらの換気扇は、壁部の換気口を箱状の木枠等で形成し、この木枠に換気扇本体枠を収納し設置される。特に台所では、ガスコンロなど調理器具より発生した燃焼ガスや、調理時に発生する油煙を回収し室外へ排出する目的で用いられるため、欠かせないものとなっている。換気扇の室内側は、一般に換気扇カバーを備えており、本体枠と着脱自在に取付けられる。調理時に発生する油煙、水蒸気など、そのほとんどは室外へ排出されるが、換気扇の風路に衝突した油、水などは換気扇に付着する。特に室内側より換気扇本体枠を覆っている換気扇カバーは、付着した油、水が溜まって油滴、水滴となり調理台上への落下や、室内側の壁を伝って壁面が汚れるなどの不具合があった。
【０００３】
この付着した油滴、水滴などの落下並びに壁汚れを対策するため、油滴、水滴をある程度溜める容器状の油溜まりや油受け部を換気扇カバーに設けたものが知られている。この油受け部は換気扇カバーと着脱式に備えて油受け部だけ定期的はずして清掃しやすくしたものや、油受け部内に別体の容器を準備し、この容器を定期的に清掃、交換するものが提案されている。（例えば特許文献１、２）
【０００４】
また、換気扇カバーの正面にフィルターを装着し、換気扇カバーの吸込み口中央下方に凹状の油受け部を形成し、吸込み口に付着した油、水や、羽根の遠心力によって飛ばされた油、水が吸込み口周辺に付着したものを回収できるようにしたものが提案されている。
また同様に、換気扇カバーの正面にフィルターを装着し、換気扇カバーの下部に室内側に突出して樋となる溝部を形成したのも提案されている。（例えば特許文献３、４）
【０００５】
【特許文献１】特開昭６２−２７６３４５号公報
【特許文献２】特開昭６２−２７２０４３号公報
【特許文献３】実開平１−８２４３６号公報
【特許文献４】特開平９−３３０８１号公報
【発明の開示】
【発明が解決しようとする課題】
【０００６】
しかしながら、これら従来の技術によれば、溜まった油滴、水滴の清掃を行ないにくいという課題や、油受け部に油滴や水滴が溜まってもその量を視認できないという課題があった。特に特許文献１、２のように、容器状の油受け部を換気扇カバーから着脱するものは、取り外す方法や、取付け方がわからない事が多かった。また油受け部に溜まった油は、油受け部を外して内部を視認することが必要で外部からは確認できないなどの不具合があった。
【０００７】
さらには、油受け部を着脱可能としていることから、構造が複雑になることや、室内側に露出する油受け部を含む換気扇カバーの形状が大きくなり、意匠性を損なうことがあった。さらには油や、油を洗い流す薬品などにより経時的な材質の劣化などで、油受け部の着脱構造が故障するという不具合があった。
【０００８】
一方特許文献３、４のものは、換気扇カバーと一体に設けているが、それぞれフィルターを外して清掃する必要や、フィルターを外して油の溜まった量を確認することが求められた。また特許文献３のように、吸込み口に凹状の油受け部を形成するものは、最適な吸込み口の形状が得られず、吸込む空気の流れが阻害され騒音の悪化や風量の低下につながった。また特許文献４のように、換気扇カバーより油受け部先端が室内側に突出しているものは、吸込まれる油煙の流れを阻害し、換気扇の油煙を捕集する排気捕集効率や、油捕集効率を低下させる可能性があった。
【０００９】
この発明は、上記のような課題を解決するためになされたものであり、換気扇の吸込み口や羽根に付着した油滴、水滴が室内側に落下することのない信頼性の高い油受け部を備えた換気扇を得ることを目的とする。また、部品点数等を少なくし、油の溜まり具合が確認できるとともに、清掃性の良い油受け部を得るとともに、換気扇自体の特性も優れた換気扇を提供することを目的とする。
【課題を解決するための手段】
【００１０】
電動機と羽根を有した送風機を内蔵し、室内側と室外側を開口させて風路を形成した箱状の本体枠と、本体枠の室内側を覆う換気扇カバーを備えている。
この換気扇カバーは空気の吸込み口を備え、本体枠に着脱可能に形成している。換気扇カバーの吸込み口の下方に油受け部を備え、油受け部は断面凹状で形成し、凹状の上縁部に面取り部を部形成したものである。
【発明の効果】
【００１１】
この発明によれば、換気扇カバー正面に油受け部があり、油受け部の確認が容易である、また正面より拭きやすく、換気扇カバーを取り外して清掃もしやすい。油受け部の上縁部は面取り部を形成していることから、油滴、水滴を油受け部に誘導し油滴、水滴が室内側に落下することを防止するとともに、面取り部により、油受け部の内部に溜まった油・水等も見やすくなっている。さらには、換気扇カバーの形状が複雑でないことから、換気扇の基本特性を損なうことなく、生産性も良い換気扇が得られる。
【図面の簡単な説明】
【００１２】
【図１】本発明の実施の形態１に係る換気扇の外観を示す室内側斜め上方より見た分解斜視図である。
【図２】本発明の実施の形態１に係る換気扇の本体枠上部を室内側正面より見た概略図である。
【図３】本発明の実施の形態１に係る換気扇カバーの外観を示す斜視図である。
【図４】本発明の実施の形態１に係る換気扇本体の側断面図であり、
【図５】図３の換気扇本体の側断面図のカバーと油受け部を拡大した部分拡大図である。
【発明を実施するための形態】
【００１３】
以下に、本発明にかかる換気扇の実施の形態を図面に基づいて詳細に説明する。
【００１４】
実施の形態１．
まず始めに本発明に係る換気扇について説明する。図１は、本発明の実施の形態１に係る換気扇の外観を示す室内側斜め上方より見た分解斜視図である。
【００１５】
図１に示すように、換気扇１０は、本体枠１と、本体枠１に設けられた固定足１１及び固定足１２と、固定足１１及び固定足１２に支持された電動機２とを備える。
換気扇１０は、本体枠１に換気扇カバー３が設けられ、電動機２のシャフトに軸流型の羽根４が取り付けられ、羽根４の中央部にスピンナー５が取り付けられる。換気扇１０の送風機は電動機２により羽根４を回転させることで送風を行なう。
【００１６】
換気扇カバー３は、合成樹脂等で形成され、風洞を形成するものであり、本体枠１に対して、着脱自在となっている。このため本体枠１を外さなくても換気扇カバー３のみを外すことが可能で清掃が行ないやすい。
なお、換気扇カバー３には、用途によって例えば、フィルター、メッシュガード、等が取り付けられるものもある。
また、換気扇１０は、住宅の壁等に形成された壁穴等に据え付けられ、前述ように羽根４を回転駆動させることにより、室内側の空気と、室外側の空気との間の空気の流れを形成し、室内を換気するものである。
【００１７】
本体枠１は、換気扇１０全体を支持する強度を有する略矩形状の金属鋼板の短手方向の端部が互いに接続された金属枠から形成されたものである。本体枠１は、室内側と室外側とがそれぞれ開口したものとなっている。
なお、上記の説明においては、本体枠１が略矩形状の金属鋼板で接続された金属枠で形成された一例について説明したが、特にこれに限定するものではない。例えば、形状は円形状であってもよく、材質は合成樹脂等で形成されているものであってもよい。
【００１８】
電動機２を支持する固定足１１、１２は金属鋼板を断面Ｃの字状に箱曲げし強度を確保している。また、固定足１１、１２は、ほぼ直線状で形成し本体枠１の上面部と下面部との縦方向でネジあるいはカシメなどで連結している。このように固定足１１、１２を本体枠１の縦方向に連結することで、本体枠１の設置時のひねりや傾きなど変形することがないよう強度を向上している。また、本体枠１並びに固定足１１、１２の強度を上げることで、電動機２あるいは羽根４より、もし振動や騒音が発生しても、伝達することがないようにしている。
【００１９】
本体枠１の上側縁部には上フランジ部１３が設けられ、本体枠１の左側縁部には左フランジ部１４が設けられ、本体枠１の右側縁部には右フランジ部１５が設けられ、本体枠１の下側縁部には下フランジ部１６が設けられている。上フランジ部１３、左フランジ部１４、右フランジ部１５、及び下フランジ部１６は、金属鋼板が断面Ｌ字状に折曲形成され、本体枠１の各縁部に取り付けられたものである。
なお、上フランジ部１３、左フランジ部１４、右フランジ部１５、及び下フランジ１６には、各種取り付け金具等を取り付ける孔が形成されている。
【００２０】
電動機２は、例えば、コンデンサ始動の交流モータで構成され、図示はしないが電源を通電することで内部のコイルが回転磁界を発生し、回転子を回転させる。回転子は中央にシャフトを挿入しておりシャフトに取り付けられたファン４を回転駆動させるものである。電動機２は、本体枠１の固定足１１、１２にネジなどで確実に固定している。羽根４は、シャフトに対して着脱自在に形成され、換気扇１０が設置された状態において、本体枠１および換気扇カバー３を取り外さなくても容易に清掃等メンテナンスができる。
【００２１】
羽根４は軸流型のプロペラ羽根を用い、大風量が得られるようにしている。羽根４の取り付けは図示しないが、例えば電動機２のシャフト先端にネジ部を形成し、スピンナー５の中央部にナットを備えている。したがってスピンナー５を締め付けることで羽根４はシャフトに固定できる。なお、スピンナー５の締め付けは、羽根４の回転する方向と逆方向で締めており、羽根４が回転することでスピンナー５の緩みを防止している。このように、羽根４を着脱可能にすることで、羽根４の着脱が容易で羽根４のみを外して清掃することができる。
【００２２】
本体枠１の室外側には、開口しており、この開口部には金属鋼板から形成された複数のシャッター板６が設けられている。
複数のシャッター板６は、詳細については後述するが、シャッター連結板７を介してスイッチ部８と連動するように設けられている。このようにシャッターを備えることで、換気扇停止時に室外側からの外風などの浸入を低減するとともに、室外、室内間の音、光を遮蔽する効果がある。
【００２３】
スイッチ部８は、本体枠１の前面左下隅部に設けられ、電動機２から導出されるリード線８ｃと接続され、先端にプラグを有する電源ケーブル８ａと、引紐８ｂとを備えている。スイッチ部８は、引紐８ｂが引っ張られるのに応じて、電源ケーブル８ａと、リード線８ｃとの間の物理的接続状態を、導通状態と非導通状態である断電状態とに交互に切り替えることにより，コンセントに差し込まれたプラグから供給される電力の供給をするか否かを制御する。
【００２４】
スイッチ部８は、導通状態のとき、シャッター連結板７を介して複数のシャッター板６が開放状態となるように制御し、断電状態のとき、シャッター連結板７を介して複数のシャッター板６が閉鎖状態となるように制御する。つまり、引紐８ｂが引っ張られるのに応じて、複数のシャッター板６は、開放状態と閉鎖状態とが交互に切り替わるように構成されている。なお、シャッター閉鎖状態では、外風でシャッターが振動しないよう、シャッターの閉鎖状態を維持する。
なお、前述の説明では、シャッター板６の開閉は引き紐８ｂと連動して開放状態と閉鎖状態を切替えるものを説明したが、小形のモータなどで開く電気式のもの、あるいは羽根４の風圧で開く風圧式のものもある。また、シャッター６は金属鋼板から形成される一例について説明したが、例えば、材質は合成樹脂等で形成されるものであってもよい。
【００２５】
次に換気扇１０の壁などへの設置について説明する。
図２は、本発明の実施の形態１に係る換気扇の本体枠上部を室内側正面より見た概略図である。
図２に示すように、本体枠１の上面を形成する上面部１ａには、取付けピース１７及びうちわボルト１８が設けられる。取り付けピース１７はねじ切りされた孔を備え、うちわボルト１８は、取付けピース１７のねじ切りされた孔に螺合された状態で取付けピース１７に設けられている。
【００２６】
うちわボルト１８は、換気扇１が据え付けられるときに利用される。これは、取付け作業者がうちわボルト１８を壁穴の面に締め付けることにより、換気扇１は図示しない壁穴等に据え付けられる。壁穴には通常木枠を挿入しており、うちわボルト１８は木枠としっかりはまることで本体枠１を壁に固定する。うちわボルト１８で締め付けるため、特別な工具など必要とせず換気扇１０の設置が容易となっている。
【００２７】
次に本発明の油受け部について図を用いて詳細に説明する。
図３は、本発明の実施の形態１に係る換気扇カバーの外観を示す斜視図である。図４は、本発明の実施の形態１に係る換気扇本体の側断面図である。図５は、図４の油受け部を拡大した部分拡大図である。
【００２８】
図３に示すように換気扇カバー３は平面状の正面部３３とその周囲を枠部３５により箱状で形成している。換気扇カバー３を箱状に形成することで、強度を確保するとともに、振動など発生しないようにしている。また、換気扇カバー３の中央に通風孔３４を設けその周囲に風洞３１を形成している。この風洞３１は羽根４の周囲を覆っている。換気扇カバー３は、本体枠１の室内側（空気の流入側）に対して着脱自在に設けられており、本体枠の上フランジ１３及び下フランジ１６に固定する。換気扇カバー３を本体枠１と着脱自在に備えることで汚れやすい換気扇カバー３を外して清掃することが可能となり清掃性が良い。また、換気扇カバー３は本体枠１を覆うことで室内側の意匠性を向上している。
【００２９】
図４に示すように、風洞３１は、その奥行きを羽根４の室内側からの奥行きとほぼ同じ距離に合わせており、羽根４の外縁と本体枠１の内面との隙間を塞ぎ風が滑らかに流れるようにしている。また、換気扇カバー３の正面部３３と風洞３１の室内側は、その直径を除除に大きくし滑らかにつなげた吸込み口３１ａを形成している。風洞３１にこのように吸込み口３１ａを形成することで、羽根４により得られる風量は極力大きく、また騒音は極力小さくなるようにしている。
【００３０】
図４、図５に示すように、換気扇カバー３の正面部３３の下方には断面凹状の油受け部３２を一体に備えている。油受け部３２は矩形状の窪みとなっており、風洞３１及び吸込み口３１ａに付着した油滴１００や水滴１０１が室内側へ滴下しないように備える。油受け部３２は吸込み口３１ａの下方に水平に設ける。このように、換気扇カバーと一体に備えることで、油滴１００や水滴１０１の溜リ状況の確認がしやすく視認性が良い、また、正面部３３に備えることで、清掃性も良い。また吸込み口３１ａの下方に水平にあることから、油滴１００、水滴１０１は油受け部３２よりも下方に流れ落ちることはない。
【００３１】
次に、油滴１００や水滴１０１がオリフィス５の設けられた油受け部１３に捕集される仕組みについて説明する。排気する油煙や水蒸気に含まれる油や水は、排気する空気中に含まれる。このことから排気する空気が主に衝突する箇所に油や水が付着する。したがって、吸込み口３１ａ、あるいは羽根４に主に付着しやすい。羽根４に付着した油や水は回転する遠心力で飛び散り吸込み口３１ａに付着し、さらに成長し油滴１００や水滴１０１となる。油受け部３２の上縁は換気扇カバー３の正面部３３と面取り部３２ａを形成し繋げており風洞３１及び吸込み口３１ａより下方に垂れてきた油滴１００、水滴１０１を油受け部３２の内部に誘導できるようにしている。これは、図４に示すように、油滴１００や水滴１０１は、重力により下方向へ流れ、滴下しようとする。油受け部３２の上部に面取り部３２ａを形成することにより、油滴１００ａや水滴１０１ａがコアンダ効果により面取り部３２ａを伝い油受け部３２に捕集されることとなる。さらには、面取り部３２ａにより油受け部３２の内部が確認でき、視認性を向上している。
【００３２】
油受け部３２の幅ｌは吸込み口３１ａの直径Ｌよりも小さい幅としている。これは吸込み口３１ａに付着した油滴１００や水滴１０１は自重により吸込み口３１ａの最も低い位置、即ち中心に近い部分集まることからである。したがって油受け部３２の幅をコンパクトにすることが可能で、さらに、換気扇カバー３の強度を低下させることがない。また、油受け部３２の高さｈは約１０ミリ以上とし指が入る大きさとしている。このようにすることで、油受け部３２に溜まった油滴１００や水滴１０１の拭き取りがしやすい、また幅もコンパクトで拭き取りしやすい。
【００３３】
油受け部の下側は、本体枠１側に向けて除除に下り勾配となる傾斜部３２ｂを設けている。この傾斜部３２ｂを備えることで、油受け部３２で保持した油滴１００、水滴１０１が溢れることがなく、保持量を向上することができる。また、換気扇１０の設置時、壁、木枠などの傾きより換気扇１０が若干傾いて設置したとしても油滴１００、水滴１０１が室内側に滴下しないようにしている。さらには、傾斜部３２ｂに指を掛けて拭き取れることができるため、清掃がしやすく、指に過剰な力を入れることなく楽に拭き取れるものである。
【００３４】
羽根４は換気扇カバー３の正面部３３より室外側に位置する。また、羽根４の先端４ａは、正面部３３よりも室外側に位置する。このようにすることで、羽根４に付着した油や水が、室内側へ飛び散るのを防ぐことができる。また、換気扇カバー３の正面部３３は、平面に形成することにより、風の吸い込みを邪魔させず、換気扇の特性悪化を防ぐことができる。
【産業上の利用可能性】
【００３５】
以上のように、本発明に係る換気扇は、油受け部を設けることで、油滴や水滴の落下や壁汚れを抑制することができ、また油受け部の清掃性も向上でき、構造も簡略化できるため有用である。
【符号の説明】
【００３６】
１  本体枠、２  電動機、３  換気扇カバー、４  羽根、４ａ  羽根先端、５  スピンナー、６  シャッター、７  シャッター連結板、８  スイッチ、８ａ  電源コード、８ｂ  引き紐、８ｃ  リード線、１０  換気扇、３１  風洞、３１ａ  吸込み口、３２  油受け部、３２ａ  面取り部、３２ｂ  傾斜部、３３  正面部、３４  通風孔、３５  枠、５０  壁、１００油滴、１０１水滴
【図１】
2014202420.tif 000003
【図２】
2014202420.tif 000004
【図３】
2014202420.tif 000005
【図４】
2014202420.tif 000006
【図５】
2014202420.tif 000007